(57)【要約】      （修正有）【課題】自動車のフロントガラスやリアガラスなどのガラス面に付着した霜や雪を、手作業で簡単に且つ短時間できれいに除去出来ると共に簡単な構造であるので安価に提供することが可能となる霜取り具を提供する。【解決手段】頭部１１と柄部１２とから成る略Ｔ字状に形成する本体１と、頭部１１に着脱可能に取付けられると共に複数枚の刃２１を有した掻取り刃部２と、を少なくとも具備した構造とする。またスペーサー２２の端部に突出する突出部を設け、突出部に一端を軸支すると共に２枚の刃２１の間で出入自在な掻出し棒を設けたものとしても良い。更に２枚の刃２１とスペーサー２２が分離可能に取付けられたものとしても良い。【選択図】図１
0003195739.tif 000002
【実用新案登録請求の範囲】
【請求項１】
頭部（11）と柄部（12）とから成る略Ｔ字状に形成する本体（１）と、前記頭部（11）に着脱可能に取付けられると共に複数枚の刃（21）を有した掻取り刃部（２）と、を少なくとも具備したことを特徴とする霜取り具。
【請求項２】
前記掻取り刃部（２）が、２枚の薄板状の刃（21）と、該２枚の刃（21）の間に設けたスペーサー（22）とから成された請求項１記載の霜取り具。
【請求項３】
前記スペーサー（22）の端部に突出する突出部（22a）を設け、該突出部（22a）に一端を軸支すると共に２枚の前記刃（21）の間で出入自在な掻出し棒（３）を設けた請求項２記載の霜取り具。
【請求項４】
前記２枚の刃（21）と前記スペーサー（22）が分離可能に取付けられた請求項２又は３記載の霜取り具。
【考案の詳細な説明】
【技術分野】
【０００１】
本考案は自動車のフロントガラスやリアガラスなどのガラス面に付着した霜や雪を、手作業で除去するための霜取り具に関する。
【背景技術】
【０００２】
従来の霜取り具としては、図５に示すように、本体の先端側に掻取り刃を設けて合成樹脂で一体成型された霜取り具が市販されている。
【０００３】
しかしながら、市販で掻取り刃が硬い霜取り具は、刃先が欠け易く、且つ、丸くなり易いと共に、フロントガラスやリアガラスが曲面になっているため、掻取り刃の全辺がガラス面に密着させることが出来ず、霜取り作業がきれいに且つ早く行うことが難しいものであった。一方、掻取り刃が軟らかめの霜取り具、例えば、軟質の合成樹脂製や硬質の合成ゴム製のものは、特にガラス面に凍りついた霜や雪は、殆んどきれいに掻取って除去されることが困難なものであった。しかも、市販の霜取り具は使い捨てであるので、自然にやさしいものではなかった。
【０００４】
尚、短時間に車両のウインドーに付いた霜，氷，雪を溶かし、溶けた水を掻きながら除去する手作業の霜取り具として、特開平９−３２８０５６号が提案されている。これは水切り用モップの頭の長手方向の下部側に、ヒーターを組み込んだ溶解部を設け、水切り用モップの頭の長手方向の上部側に、溶けた水を掻き落とすための水切りラバーを取付けたものである。その使い方は、ガラスに付着した霜に溶解部を当てながらガラス面に沿って移動させ、溶けた水は水切りラバーをガラス面に当接させながら水を掻いて除去させていた。
【０００５】
従って、特開平９−３２８０５６号は、電気ヒーターが内蔵され、且つ、手作業であるため、特に冬場に於いてはヒーター用の電源を常に充電させておく必要があり、維持管理に手間が掛ると共に構造が複雑なものであった。しかも、厳寒地方ではガラスに付着した雪を溶かしても、その場で凍りついてしまうため、水切りラバーでは前記凍りついた氷は、掻取ることが出来ないものであった。このため、本願のように簡単な構造で効率良く霜取り作業がきれいに行えるものは従来にはなかった。
【先行技術文献】
【特許文献】
【０００６】
【特許文献１】特開平９−３２８０５６号公報
【考案の概要】
【考案が解決しようとする課題】
【０００７】
本考案は、自動車のフロントガラスやリアガラスなどのガラス面に付着した霜や雪を、手作業で簡単に且つ短時間できれいに除去出来ると共に簡単な構造であるので安価に提供することが可能となる霜取り具を提供することを目的とする。
【課題を解決するための手段】
【０００８】
本考案は上記現状に鑑みて成されたものであり、つまり、頭部と柄部とから成る略Ｔ字状に形成する本体と、頭部に着脱可能に取付けられると共に複数枚の刃を有した掻取り刃部と、を少なくとも具備した構造とする。また前記掻取り刃部として、２枚の薄板状の刃と、該２枚の刃の間に設けたスペーサーとから成されたものとしても良く、その２枚の刃の間で出入自在な掻出し棒の一端を、スペーサーの突出させた端部に軸支したものとしても良い。更に２枚の刃とスペーサーが分離可能に取付けられたものとしても良い。
【考案の効果】
【０００９】
請求項１のように頭部（11）と柄部（12）とから成る略Ｔ字状に形成する本体（１）と、頭部（11）に着脱可能に取付けられると共に複数枚の刃（21）を有した掻取り刃部（２）と、を少なくとも具備することにより、自動車のフロントガラスやリアガラスなどの湾曲するガラス面に付着した霜や雪を、手作業で簡単に且つ短時間できれいに除去出来ると共に簡単な構造であるので、本考案品を安価に提供することが可能となる。
【００１０】
請求項２のように掻取り刃部（２）を、２枚の薄板状の刃（21）と、該２枚の刃（21）の間に設けたスペーサー（22）とから成すことにより、ガラス面の霜取りがより確実に掻取られるものとなる。
【００１１】
請求項３に示すようにスペーサー（22）の端部を突出させて突出部（22a）を設け、該突出部（22a）に一端を軸支すると共に２枚の刃（21）の間で出入自在な掻出し棒（３）を設けることにより、刃（21）の間に霜や雪が入っても、それを容易に外へ押出して除去することが出来るものとなるため、特に厳寒地方で本考案品を使用すれば、刃（21）の間に霜や雪が入っても、それを直ぐに外へ押出して除去することで、常にガラス面の霜取りがより確実に掻取られるものとなるのである。
【００１２】
請求項４に示すように２枚の刃（21）とスペーサー（22）が分離可能に取付けられることにより、刃（21）の当接部が丸くなっても、表裏の交換或いは前後位置の交換を行うことにより、ガラス面の霜取りが、長期間に渡ってきれいに掻取りが可能なものとなる
【図面の簡単な説明】
【００１３】
【図１】本考案の実施形態を示す斜視図である。
【図２】本実施形態の掻出し棒を設けた状態を示す斜視図である。
【図３】本実施形態の掻取り刃部を示す説明図である。
【図４】本考案の作用を示す説明図である。
【図５】従来の市販品を示す斜視図である。
【考案を実施するための形態】
【００１４】
本考案の実施形態を図面に基づいて説明する。（１）は頭部（11）と柄部（12）とから成る略Ｔ字状に形成した合成樹脂製の本体であり、該本体（１）の頭部（11）の先端部には後述する掻取り刃部（２）を挟持するための挟持部（11a）が形成されている。
【００１５】
（２）は頭部（11）の挟持部（11a）に着脱可能に挟持されて取付けられると共に複数枚の刃（21）を有した掻取り刃部であり、該掻取り刃部（２）には、複数枚の薄板状で合成樹脂製の刃（21）と、各刃（21）の間に設けた合成樹脂製のスペーサー（22）とがある。前記刃（21）とスペーサー（22）の材料としては、学用品である下敷きと同じ材料で且つ同程度の厚さ（約１mm前後）のものを用いると良く、掻取り刃部（２）が取付けられた際には、湾曲可能で且つ弾力性を有したものとなる。また刃（21）は透明か半透明のものが好ましいが、透明でなくても良い。
【００１６】
前記掻取り刃部（２）としては、図３（ａ）に示すように２枚で薄板状の刃（21）と、その間に挟んでスペーサー（22）を接着剤等で固着させたもの、図３（ｂ）のように２枚の刃（21）とスペーサー（22）が単に挟持された分離可能なもの、更に図３（ｃ）のように３枚の刃（21）と２枚のスペーサー（22）とから成るもの、或いは３枚以上の刃（21）を有するもの、などがある。前記スペーサー（22）は刃（21）の後側に配置されている。この時のスペーサー（22）の長さは、各刃（21）の幅と同じにしておくと共その厚さとしては刃（21）の厚さと同じ厚さのものを用いると良い。
尚、図３（ａ）に於いて、刃（21）の掻取り部が丸くなった際は、掻取り刃部（２）を抜取って表裏を反転させた後に再度取付けると、初めのように掻取り作業がスムーズに行えるものとなる。又、図３（ｂ）に於いては、刃（21）の掻取り部が丸くなった際は、図３（ａ）と同様に掻取り刃部（２）の表裏を反転させて使用し、また更に刃（21）の掻取り部が丸くなった際は、掻取り刃部（２）を抜取って各刃（21）の表裏を反転させると共にその間にスペーサー（22）を挟んで再度取付けると、初めのように掻取り作業がスムーズに行えるものとなり、更に、前後,表裏，各刃（21）の表裏を反転させて使用することが可能となるので、図３（ｂ）は、図３（ａ）のものよりも４倍以上長く使用できるものとなるのである。尚、交換用の掻取り刃部（２）を用意しておけば、本体（1）を捨てることなく繰返して使用できるものとなるので、本発明品は長期間に渡って使用出来るものとなる。
【００１７】
図２は本実施形態の掻出し棒を設けた状態を示す図であり、これは図１に対して掻出し棒（３）が設けられていると共に、スペーサー（22）が異なる。このスペーサー（22）の長さは各刃（21）の幅よりも長くして突出部（22a）が設けられており、そこにはネジ穴が穿設されている。前記掻出し棒（３）は、２枚の刃（21）の間で出入自在に設けると共に略その隙間と同じ太さの金属線材で形成されたものであり、その一端には、スペーサー（22）の突出部（22a）に穿設したネジ穴にビス等によって軸支される軸支部（31）が設けられており、他端には、カールさせた指掛部（32）が形成されている。
【００１８】
次に本考案の作用を図４に基づいて説明する。先ず始めに本考案品を手に持ち、従来品と同様にしてガラス面に刃（21）を（ａ）のように当てて押付ける。この時、下方の刃（21）がガラス面に当たり、そして薄板状の刃（21）の全辺は水平方向に於いてガラス面に密着状態となる。この状態で本考案品に力を入れながら上方へ向けて移動して行くと、下方の刃（21）は（ｂ）のように湾曲して、上方の刃（21）の底面に下方の刃（21）が重なり合ってガラス面の霜や雪を掻取って行く。このため、ガラス面に対して、先に上方の刃（21）によって掻取られた後、直ぐに下方の刃（21）によってガラス面が掻取られ、同じガラス面の箇所が２回続けて霜取り作業が行われるので、丁度、２枚を使用したカミソリの効果と同様な効果が発揮されるものとなる。又、この時、上方の刃（21）と下方の刃（21）が重なり合った状態でガラス面を掻上げて行くため、薄板状の刃（21）でも略２枚分の強度が確保できるものとなるのである。
【００１９】
このように本実施形態の刃（21）が薄いので、ガラス面の曲率に沿って変形されて、ガラス面に密着状態となり、更に上記に示した如く２枚の刃（21）が重なり合うため、ガラス面に凍りついた霜や雪を掻取るだけの強度は充分に得られるものとなる。この結果、ガラス面は、従来品の如き刃先の密着しない部分を後から掻取り直す必要がなくなると共に、ガラス面を早く且つきれいに霜取り作業が行えるものとなるのである。
【００２０】
次に本実施形態の掻出し棒の作用について説明する。上記のようにガラス面の霜取り作業を行っていくと、上方の刃（21）と下方の刃（21）の間に霜や雪が入り込み、この入り込んだ霜や雪が多く入り込んで凍りつくと、上方の刃（21）と下方の刃（21）が重なり合わなくなった時には、掻出し棒（３）の指掛部（32）に指を入れて外側へ引き出せば、軸支部（31）を中心にして掻出し棒（３）が外側へ移動することにより、上方の刃（21）と下方の刃（21）の間に入り込んだ霜や雪は、掻出し棒（３）と共に外へ排除され、該掻出し棒（３）を元の位置に戻しておけば、上方の刃（21）と下方の刃（21）の間に入り込んだ霜や雪は何時でも排除できる状態となるのである。
【符号の説明】
【００２１】
１  本体
11  頭部
12  柄部
２  掻取り刃部
21  刃
22  スペーサー
22a  突出部
３  掻出し棒
【図１】
0003195739.tif 000003
【図２】
0003195739.tif 000004
【図３】
0003195739.tif 000005
【図４】
0003195739.tif 000006
【図５】
0003195739.tif 000007